【手続補正書】
【提出日】平成17年1月6日(2005.1.6)
【手続補正１】
【補正対象書類名】特許請求の範囲
【補正対象項目名】全文
【補正方法】変更
【補正の内容】
【特許請求の範囲】
【請求項１】
（ａ）少なくとも１種のアミノ酸またはその塩と、
（ｂ）式（I）：
Ｒ1ＣＯＸ      (I)
〔式中、Ｒ1は、６〜２２個の炭素原子を有するアルキルまたはアルケニル基であり、Ｘは、塩素を表す。〕
に相当する脂肪酸塩化物とを、
（ｃ）タンパク質水解物、ポリアミノ酸、アミノスルホン酸および／またはアミノ糖からなる群から選ばれるアシル化可能な界面活性剤前駆体、および／または
（ｄ）非イオン界面活性剤
並びに水およびアルカリ
の存在下で、ミキサーを組み込んでいる循環管内で反応させ、酸塩化物をミキサーにまたはミキサーの前に添加することにより得ることができる界面活性剤混合物。
【請求項２】
グルタミン酸、サルコシン、アスパラギン酸、アラニン、バリン、ロイシン、イソロイシン、プロリン、ヒドロキシプロリン、グリシン、セリン、システイン、シスチン、トレオニン、ヒスチジンおよびそれらの塩を、アミノ酸として使用することを特徴とする請求項１に記載の混合物。
【請求項３】
植物性または海洋性タンパク質および乳、絹またはカシミヤタンパク質をベースとするタンパク質水解物をタンパク質水解物として、オリゴマー化度２〜１０を有するポリアスパラギン酸をポリアミノ酸として、Ｎ-メチルタウリンまたはタウリンをアミノスルホン酸として、並びにグルカミン／グルコサミンまたはガラクトサミンをアミノ糖として使用することを特徴とする、請求項１または２に記載の混合物。
【請求項４】
・エチレンオキシド２〜３０モルおよび／またはプロピレンオキシド０〜５モルと、直鎖または分枝Ｃ8〜22脂肪アルコール、Ｃ12〜22脂肪酸、アルキル基中に８〜１５個の炭素原子を有するアルキルフェノールおよびアルキル基中に８〜２２個の炭素原子を有するアルキルアミンとの付加生成物、
・アルキル（アルケニル）基中に８〜２２個の炭素原子を有するアルキルおよび／またはアルケニルオリゴグリコシド、およびそのエトキシル化類似体、
・エチレンオキシド１〜３０モルと脂肪酸との付加生成物、
・エチレンオキシド１〜３０モルと脂肪酸メチルエステルとの挿入生成物、
・エチレンオキシド１〜１５モルとヒマシ油および／または水素化ヒマシ油との付加生成物、
・エチレンオキシド１５〜６０モルとヒマシ油および／または水素化ヒマシ油との付加生成物、
・グリセロールおよび／またはソルビタンと、１２〜２２個の炭素原子を有する不飽和、直鎖または飽和、分枝の脂肪酸、および／または３〜１８個の炭素原子を有するヒドロキシカルボン酸との部分エステル、およびエチレンオキシド１〜３０モルとのその付加物、
・ポリグリセロール（平均自己縮合度２〜８）、ポリエチレングリコール（分子量４００〜５,０００）、トリメチロールプロパン、ペンタエリトリトール、糖アルコール（例えばソルビトール）、アルキルグルコシド（例えばメチルグルコシド、ブチルグルコシド、ラウリルグルコシド）およびポリグルコシド（例えばセルロース）と、１２〜２２個の炭素原子を有する飽和および／または不飽和、直鎖または分枝の脂肪酸、および／または３〜１８個の炭素原子を有するヒドロキシカルボン酸との部分エステル、およびエチレンオキシド１〜３０モルとのその付加物、
・DE 11 65 574 PS によるペンタエリトリトール、脂肪酸、クエン酸および脂肪アルコールの混合エステル、および／または６〜２２個の炭素原子を有する脂肪酸、メチルグルコースおよびポリオール、好ましくはグリセロールまたはポリグリセロールの混合エステル、
・モノ-、ジ-およびトリアルキルホスフェート、およびモノ-、ジ-および／またはトリＰＥＧアルキルホスフェート、およびそれらの塩、
・羊毛ろうアルコール、
・ポリシロキサン／ポリアルキル／ポリエーテルコポリマー、および対応誘導体、
・ポリアルキレングリコール、および
・グリセロールカーボネート
からなる群から選ばれる非イオン界面活性剤を、使用することを特徴とする請求項１〜３のいずれかに記載の混合物。
【請求項５】
グリセロール、エチレングリコール、プロピレングリコール、ジプロピレングリコール、１,３-ブチレングリコール、ブタン-１,２-ジオール、ブタン-１,４-ジオール、ソルビトール、マンニトール、エリトリトール、ペンタエリトリトールからなる群から選ばれるポリオールを、追加成分として使用することを特徴とする請求項１〜４のいずれかに記載の混合物。
【請求項６】
（ａ）少なくとも１種のアミノ酸またはその塩と、
（ｂ）式（I）：
Ｒ1ＣＯＸ      (I)
〔式中、Ｒ1は、６〜２２個の炭素原子を有するアルキルまたはアルケニル基であり、Ｘは、塩素を表す。〕
に相当する脂肪酸塩化物とを、
（ｃ）タンパク質水解物、ポリアミノ酸、アミノスルホン酸および／またはアミノ糖からなる群から選ばれるアシル化可能な界面活性剤前駆体、および／または
（ｄ）非イオン界面活性剤
並びに水およびアルカリ
の存在下で、ミキサーを組み込んでいる循環管内で反応させ、酸塩化物をミキサーにまたはミキサーの前に添加することを特徴とする、界面活性剤混合物の製造方法。
【請求項７】
洗浄剤としての、請求項１に記載の界面活性剤混合物の使用。
【請求項８】
泡立て剤としての、請求項１に記載の界面活性剤混合物の使用。
【請求項９】
乳化剤としての、請求項１に記載の界面活性剤混合物の使用。
【手続補正２】
【補正対象書類名】明細書
【補正対象項目名】００５３
【補正方法】変更
【補正の内容】
【００５３】
Ｃ12〜Ｃ18アシルグルタミン酸二ナトリウム塩およびＣ12〜Ｃ14アルキルポリグルコシドおよび１,２-プロピレングリコールの界面活性剤混合物の製造
水７６ｇ、グルタミン酸モノナトリウム(×１Ｈ2Ｏ)１８７ｇ（１モル）、３７％の水酸化ナトリウム１０３ｇ、Ｃ12〜Ｃ14アルキルポリグルコシド（ＡＳ ５０％）５６ｇおよび１,２-プロピレングリコール１７ｇを、反応器に導入し、１０〜２０℃に冷却した。反応開始前にｐＨを、１１％の水酸化ナトリウムで約１２に調節した。次いでココイル脂肪酸塩化物１７７ｇ（０.８モル）および１１％のＮａＯＨ ２９６ｇを、反応器温度が２０〜２５℃を超えず、ｐＨが１１.５〜１２.５の間にとどまるような速度で、同時に添加した。脂肪酸塩化物の添加後に反応混合物を、攪拌し、同時に（ミキサーおよび熱交換器を有する循環管を介して）反応器内で２０〜２５℃でさらに約２時間循環させ、次いで６０〜８０℃にさらに約２時間加熱した。次いで反応混合物を、室温に冷却し、希塩酸を添加することによりｐＨ約１０に調節した。
本発明の好ましい態様を以下に示す。
１．（ａ）少なくとも１種のアミノ酸またはその塩と、
（ｂ）式（I）：
Ｒ1ＣＯＸ      (I)
〔式中、Ｒ1は、６〜２２個の炭素原子を有するアルキルまたはアルケニル基であり、Ｘは、塩素、臭素、ヨウ素を表す。〕
に相当する脂肪酸ハロゲン化物とを、
（ｃ）タンパク質水解物、ポリアミノ酸、アミノスルホン酸および／またはアミノ糖からなる群から選ばれるアシル化可能な界面活性剤前駆体、および／または
（ｄ）非イオン界面活性剤
並びに水およびアルカリ
の存在下で反応させることにより得ることができる界面活性剤混合物。
２．グルタミン酸、サルコシン、アスパラギン酸、アラニン、バリン、ロイシン、イソロイシン、プロリン、ヒドロキシプロリン、グリシン、セリン、システイン、シスチン、トレオニン、ヒスチジンおよびそれらの塩を、アミノ酸として使用することを特徴とする前記第１に記載の混合物。
３．植物性または海洋性タンパク質および乳、絹またはカシミヤタンパク質をベースとするタンパク質水解物をタンパク質水解物として、オリゴマー化度２〜１０を有するポリアスパラギン酸をポリアミノ酸として、Ｎ-メチルタウリンまたはタウリンをアミノスルホン酸として、並びにグルカミン／グルコサミンまたはガラクトサミンをアミノ糖として使用することを特徴とする、前記第１または第２に記載の混合物。
４．・エチレンオキシド２〜３０モルおよび／またはプロピレンオキシド０〜５モルと、直鎖または分枝Ｃ8〜22脂肪アルコール、Ｃ12〜22脂肪酸、アルキル基中に８〜１５個の炭素原子を有するアルキルフェノールおよびアルキル基中に８〜２２個の炭素原子を有するアルキルアミンとの付加生成物、
・アルキル（アルケニル）基中に８〜２２個の炭素原子を有するアルキルおよび／またはアルケニルオリゴグリコシド、およびそのエトキシル化類似体、
・エチレンオキシド１〜３０モルと脂肪酸との付加生成物、
・エチレンオキシド１〜３０モルと脂肪酸メチルエステルとの挿入生成物、
・エチレンオキシド１〜１５モルとヒマシ油および／または水素化ヒマシ油との付加生成物、
・エチレンオキシド１５〜６０モルとヒマシ油および／または水素化ヒマシ油との付加生成物、
・グリセロールおよび／またはソルビタンと、１２〜２２個の炭素原子を有する不飽和、直鎖または飽和、分枝の脂肪酸、および／または３〜１８個の炭素原子を有するヒドロキシカルボン酸との部分エステル、およびエチレンオキシド１〜３０モルとのその付加物、
・ポリグリセロール（平均自己縮合度２〜８）、ポリエチレングリコール（分子量４００〜５,０００）、トリメチロールプロパン、ペンタエリトリトール、糖アルコール（例えばソルビトール）、アルキルグルコシド（例えばメチルグルコシド、ブチルグルコシド、ラウリルグルコシド）およびポリグルコシド（例えばセルロース）と、１２〜２２個の炭素原子を有する飽和および／または不飽和、直鎖または分枝の脂肪酸、および／または３〜１８個の炭素原子を有するヒドロキシカルボン酸との部分エステル、およびエチレンオキシド１〜３０モルとのその付加物、
・DE 11 65 574 PS によるペンタエリトリトール、脂肪酸、クエン酸および脂肪アルコールの混合エステル、および／または６〜２２個の炭素原子を有する脂肪酸、メチルグルコースおよびポリオール、好ましくはグリセロールまたはポリグリセロールの混合エステル、
・モノ-、ジ-およびトリアルキルホスフェート、およびモノ-、ジ-および／またはトリＰＥＧアルキルホスフェート、およびそれらの塩、
・羊毛ろうアルコール、
・ポリシロキサン／ポリアルキル／ポリエーテルコポリマー、および対応誘導体、
・ポリアルキレングリコール、および
・グリセロールカーボネート
からなる群から選ばれる非イオン界面活性剤を、使用することを特徴とする前記第１〜３のいずれかに記載の混合物。
５．ミキサーを組み込んでいる循環管内で、反応を行うことを特徴とする前記第１〜４のいずれかに記載の混合物。
６．グリセロール、エチレングリコール、プロピレングリコール、ジプロピレングリコール、１,３-ブチレングリコール、ブタン-１,２-ジオール、ブタン-１,４-ジオール、ソルビトール、マンニトール、エリトリトール、ペンタエリトリトールからなる群から選ばれるポリオールを、追加成分として使用することを特徴とする前記第１〜５のいずれかに記載の混合物。
７．（ａ）少なくとも１種のアミノ酸またはその塩と、
（ｂ）式（I）：
Ｒ1ＣＯＸ      (I)
〔式中、Ｒ1は、６〜２２個の炭素原子を有するアルキルまたはアルケニル基であり、Ｘは、塩素、臭素、ヨウ素を表す。〕
に相当する脂肪酸ハロゲン化物とを、
（ｃ）タンパク質水解物、ポリアミノ酸、アミノスルホン酸および／またはアミノ糖からなる群から選ばれるアシル化可能な界面活性剤前駆体、および／または
（ｄ）非イオン界面活性剤
並びに水およびアルカリ
の存在下で反応させることを特徴とする、界面活性剤混合物の製造方法。
８．洗浄剤としての、前記第１に記載の界面活性剤混合物の使用。
９．泡立て剤としての、前記第１に記載の界面活性剤混合物の使用。
１０．乳化剤としての、前記第１に記載の界面活性剤混合物の使用。